(57)【要約】【課題】スイッチを操作すると電源を動作させる一方、電源が動作した後に上記スイッチを操作するとリセットを動作させるパネルコンピュータを提供する。【解決手段】電源Ｖｃｃが駆動していない場合、制御回路１０のスイッチ制御回路１３は、スイッチ１１ａの操作により、電源Ｖｃｃを駆動させる出力信号ＳＢＯＮをワンショット回路１５に出力する。ワンショット回路１５は、出力信号ＳＢＯＮに基づいて出力信号ＰＳＯＮを電源回路１２に出力する。電源回路１２は、出力信号ＰＳＯＮに基づいて電源Ｖｃｃを駆動させる。これに対して、電源Ｖｃｃが駆動している場合、スイッチ制御回路１３は、スイッチ１１ａの操作により、リセット信号ＲＥＳＥＴをリセット回路１４に出力する。リセット回路１４は、リセット信号ＲＥＳＥＴに基づいてコンピュータをリセットさせるシステムリセット信号ＳＹＳＴＥＭ＿ＲＥＳＥＴを出力する。【選択図】  図２
2004295278.tif 000002
【特許請求の範囲】
【請求項１】
タッチスクリーンと、該タッチスクリーン外に設けられたスイッチとを備えたタッチスクリーン付きコンピュータにおいて、
上記スイッチは、単一のスイッチであり、
上記スイッチを操作すると、上記コンピュータの電源を動作させる電源制御部と、
電源が動作した後に上記スイッチを操作すると、上記コンピュータのリセットを動作させるリセット制御部と、
を備えたことを特徴とするタッチスクリーン付きコンピュータ。
【請求項２】
各種の設備機器の管理や工作機械の操作盤などで好適に実施されるものであって、タッチスクリーンと、該タッチスクリーン外に設けられたスイッチと、電源を制御する電源回路と、リセットを制御するリセット回路とを備えたタッチスクリーン付きコンピュータにおいて、
上記スイッチは、単一のスイッチであり、
上記コンピュータの電源が駆動していない場合、上記スイッチを操作すると、上記電源回路に、上記コンピュータの電源を駆動させる電源駆動信号を出力する一方、上記コンピュータの電源が駆動している場合、上記スイッチを操作すると、上記リセット回路に、上記コンピュータをリセットさせるリセット信号を出力するスイッチ制御回路を備えたことを特徴とするタッチスクリーン付きコンピュータ。
【請求項３】
上記スイッチは、タッチスクリーンの周辺部に備えられたことを特徴とする請求項１または２記載のタッチスクリーン付きコンピュータ。
【発明の詳細な説明】
【０００１】
【発明の属する技術分野】
この発明は、例えば、ＦＡ（Ｆａｃｔｏｒｙ  Ａｕｔｏｍａｔｉｏｎ）分野など、劣悪な環境でも正常に動作可能なタッチスクリーン付きコンピュータ（パネルコンピュータ）に関するものである。
【０００２】
【従来の技術】
従来より、コンピュータは、単なる計算処理に限らず、例えば、モータの制御など、種々の制御システムで広く使用されている。このようなコンピュータの設置場所は、例えば、ＦＡ分野での制御対象近傍など、周囲環境が劣悪な場所にまで広がっている。ここで、制御対象近傍では、一般に、設置可能な空間が限定されており、入力部、表示部および演算部を分離して配置できないことが多い。また、設置可能な空間が限定されているので、周囲環境温度は、高温になりがちであり、コンピュータに不適切な温度に近づくおそれがある。さらに、振動や粉塵などが多いため、機械的に動作する部分を外部に露出させることは好ましくない。
【０００３】
したがって、このような周囲環境が劣悪な場所には、入力装置としてタッチパネルを備えたパネルコンピュータが設置されることが多い。同様に、携帯端末など、移動して用いられるコンピュータも劣悪な周囲環境でも使用されるため、入力装置としてタッチパネルが採用されることがある。
【０００４】
これらのパネルコンピュータでは、キーボードやマウスのように、機械的な接点が露出しない入力装置を使用しているため、粉塵や振動などが多い環境下でも誤動作しにくい。また、演算部と表示部と入力部とを一体に形成することによって、設置場所を縮小でき、高周波ノイズなどに強いパネルコンピュータを実現できる。これらの結果、他の形態のコンピュータに比べて、劣悪な周囲環境でも、正常に動作し続けることができる。
【０００５】
ここで、上記パネルコンピュータは、一般に、パネルコンピュータの電源を駆動させる電源スイッチをパネルコンピュータの背面側に備えている。また、パネルコンピュータをリセットさせるリセットスイッチをパネルコンピュータの前面側に備えている。つまり、電源スイッチと、リセットスイッチとを別々に備えている。このような構成は、特許文献１記載のように、パネルコンピュータのみならず、他の形態のコンピュータにおいても同様である。
【０００６】
したがって、ユーザは、パネルコンピュータの電源を投入する際、パネルコンピュータの背面側に手を回して電源スイッチを操作していた。そして、パネルコンピュータの電源が投入された後に、例えば、パネルコンピュータの動作異常が発生した場合、パネルコンピュータの前面側に備えられたリセットスイッチを操作することにより、パネルコンピュータの動作を正常に戻していた。
【０００７】
【特許文献１】
特開２０００−５０１８４（公開日平成１２年２月１８日）
【０００８】
【発明が解決しようとする課題】
しかしながら、上記のような従来の構成では、パネルコンピュータの電源を投入する際、パネルコンピュータの背面側に手を回して電源スイッチを操作しなければならず、電源スイッチの操作が煩雑であるという問題があった。また、電源スイッチとリセットスイッチとを別々に備えているため、パネルコンピュータの部品点数が増加するという問題があった。
【０００９】
ところで、このようなパネルコンピュータは、一般に、ＦＡ分野での制御対象近傍などに設置される。具体的には、制御盤に組み込まれたり、生産現場などの壁などに組み込まれたりして使用されることが多い。
【００１０】
しかしながら、制御盤に組み込まれた場合、パネルコンピュータの背面側に電源スイッチが備えられているため、電源を投入する際、ユーザは、例えば、制御盤の扉を開けてパネルコンピュータの背面側に備えられた電源スイッチを操作していた。すなわち、制御盤に電源スイッチを操作するための開閉扉を構成する必要があった。
【００１１】
また、生産現場などの壁などに組み込まれた場合、電源スイッチを操作するため、ユーザは、例えば、配線処理などを施すことによって、パネルコンピュータの前面側に電源スイッチを構成する必要があった。
【００１２】
要するに、上記いずれの場合も、電源スイッチを操作するため、制御システムに不要な構成を追加しなければならず、構造が複雑になるという問題があった。
【００１３】
本発明は、上記の問題点に鑑みてなされたものであり、スイッチを操作すると電源を動作させる一方、電源が動作した後に上記スイッチを操作するとリセットを動作させるタッチスクリーン付きコンピュータを提供することを目的としている。
【００１４】
【課題を解決するための手段】
請求項１の発明に係るタッチスクリーン付きコンピュータは、上記の課題を解決するために、タッチスクリーンと、該タッチスクリーン外に設けられたスイッチとを備えたタッチスクリーン付きコンピュータにおいて、以下の手段を講じたことを特徴としている。
【００１５】
すなわち、上記スイッチは、単一のスイッチであり、上記スイッチを操作すると、上記コンピュータの電源を動作させる電源制御部と、電源が動作した後に上記スイッチを操作すると、上記コンピュータのリセットを動作させるリセット制御部とを備えたことを特徴としている。
【００１６】
上記の構成では、電源制御部は、スイッチの操作により電源を動作させる。リセット制御部は、この電源が動作した後のスイッチの操作によりリセットを動作させる。上記の構成によれば、従来における電源スイッチとリセットスイッチとを１つのスイッチとして機能するように、電源制御部とリセット制御部とを備えているので、コンピュータの部品点数を増加させることがなく、コストの削減を図ることができる。
【００１７】
請求項２の発明に係るタッチスクリーン付きコンピュータは、上記の課題を解決するために、各種の設備機器の管理や工作機械の操作盤などで好適に実施されるものであって、タッチスクリーンと、該タッチスクリーン外に設けられたスイッチと、電源を制御する電源回路と、リセットを制御するリセット回路とを備えたタッチスクリーン付きコンピュータにおいて、以下の手段を講じたことを特徴としている。
【００１８】
すなわち、上記スイッチは、単一のスイッチであり、上記コンピュータの電源が駆動していない場合、上記スイッチを操作すると、上記電源回路に、上記コンピュータの電源を駆動させる電源駆動信号を出力する一方、上記コンピュータの電源が駆動している場合、上記スイッチを操作すると、上記リセット回路に、上記コンピュータをリセットさせるリセット信号を出力するスイッチ制御回路を備えたことを特徴としている。
【００１９】
上記の構成では、スイッチ制御回路は、コンピュータの電源が駆動していない場合、スイッチの操作により、コンピュータの電源を駆動させる電源駆動信号を出力する。また、スイッチ制御回路は、コンピュータの電源が駆動している場合、スイッチの操作により、コンピュータをリセットさせるリセット信号を出力する。
【００２０】
上記の構成によれば、従来における電源スイッチとリセットスイッチとを１つのスイッチとして機能するように、スイッチ制御回路を備えているので、コンピュータの部品点数を増加させることがなく、コストの削減を図ることができる。
【００２１】
また、請求項３の発明に係るタッチスクリーン付きコンピュータは、請求項１または２記載のタッチスクリーン付きコンピュータにおいて、上記スイッチは、タッチスクリーンの周辺部に備えられたことを特徴としている。
【００２２】
上記の構成によれば、スイッチをタッチスクリーンの周辺部に備えているので、スイッチの操作が簡単であると共に、従来のように、電源スイッチを操作するために、例えば、制御盤に開閉扉を構成したり、配線処理などを施したりする必要がない。
【００２３】
【発明の実施の形態】
本発明の実施の一形態について図１ないし図３に基づいて説明すれば、以下の通りである。
【００２４】
すなわち、本実施の形態に係るパネルコンピュータは、劣悪な周囲環境でも動作することが要求される場合に好適に使用されるタッチスクリーン付きコンピュータであって、例えば、ＦＡ（Ｆａｃｔｏｒｙ  Ａｕｔｏｍａｔｉｏｎ）分野の制御システムでの設備機器の管理や工作機械の操作盤などに用いられている。
【００２５】
例えば、図１に示すように、上記パネルコンピュータ１では、例えば、液晶ディスプレイなどのディスプレイパネル２と、当該ディスプレイパネル２の表示画面上に配されたタッチパネル３と、ＣＰＵなどを含むメインモジュール４とが一体的に形成されており、設置可能な空間が限られている場合であっても、何ら支障なく設置できる。また、一体に形成されており、かつ、機械的に動作する部分が露出していないので、周囲温度が高い場合、あるいは、振動、高周波ノイズや粉塵などが多い場合など、ＯＡ分野のコンピュータの設置場所に比べて周囲環境が劣悪な場合であっても正常に動作できる。
【００２６】
上記パネルコンピュータ１は、通常のパーソナルコンピュータと同様、ＣＰＵ、メモリ、ハードディスクドライブなどの基本的な構成を備えている。したがって、以下ではその説明を省略し、本願発明の特徴部分である電源回路とリセット回路とを制御するための制御回路の構成について、図２を参照しながら具体的に説明する。
【００２７】
本実施の形態に係る制御回路１０は、例えば、メインモジュール４内に格納されるものであって、図２に示すように、スイッチ回路１１、電源回路１２、スイッチ制御回路１３、リセット回路１４およびワンショット回路１５を備えている。なお、上記スイッチ回路１１、電源回路１２、スイッチ制御回路１３およびワンショット回路１５が、特許請求の範囲に記載の電源制御部に対応している。また、上記スイッチ回路１１、スイッチ制御回路１３およびリセット回路１４が、特許請求の範囲に記載のリセット制御部に対応している。
【００２８】
スイッチ回路１１は、スイッチ１１ａと、５Ｖスタンバイ電源Ｖｓｂと、抵抗Ｒとを備えている。
【００２９】
スイッチ１１ａは、パネルコンピュータ１のディスプレイパネル２周辺部に設けらており、プッシュスイッチによって構成されている。スイッチ１１ａの一方の端子は、グランド（“Ｌ”レベル）に接続されており、スイッチ１１ａの他方の端子は、抵抗Ｒを介して、５Ｖスタンバイ電源Ｖｓｂに接続されている。
【００３０】
５Ｖスタンバイ電源Ｖｓｂは、後述する電源Ｖｃｃが投入されているか否かに関わらず、パネルコンピュータ１に常時５Ｖを供給するためのスタンバイ電源である。したがって、スイッチ１１ａを操作していない場合、スイッチ１１ａの一方の端子と他方の端子とが接続されていないため、後述するスイッチ制御回路１３に、“Ｈ”の出力信号ＳＷを出力する。スイッチ１１ａを操作した場合、スイッチ１１ａの一方の端子と他方の端子とが接続状態となり、スイッチ制御回路１３に、“Ｌ”の出力信号ＳＷを出力する。
【００３１】
電源回路１２は、例えば、ＡＴＸ仕様の電源Ｖｃｃを制御するための回路であって、後述するワンショット回路１５からの電源駆動信号としての出力信号ＰＳＯＮに基づいて、電源Ｖｃｃを制御する。すなわち、電源Ｖｃｃが駆動していない場合、出力信号ＰＳＯＮの入力に基づいて、電源Ｖｃｃを駆動する。これに対して、電源Ｖｃｃが駆動している場合、出力信号ＰＳＯＮの入力に基づいて、電源Ｖｃｃの駆動をストップする。電源回路１２には、電源Ｖｃｃおよび５Ｖスタンバイ電源Ｖｓｂが接続されている。
【００３２】
スイッチ制御回路１３は、２つのＡＮＤゲート１３ａ、１３ｂを備えている。ＡＮＤゲート１３ａ、１３ｂのそれぞれの一方の入力端子は、電源Ｖｃｃと抵抗Ｒを介してグランド（“Ｌ”レベル）とに接続されている。また、ＡＮＤゲート１３ａ、１３ｂのそれぞれの他方の入力端子は、スイッチ回路１１に接続されている。そして、ＡＮＤゲート１３ａの出力端子は、後述するリセット回路１４に接続されており、ＡＮＤゲート１３ｂの出力端子は、後述するワンショット回路１５に接続されている。
【００３３】
ここで、電源Ｖｃｃが投入されていない場合（Ｖｃｃ＝０Ｖ）、ＡＮＤゲート１３ａの一方の入力端子には、“Ｌ”信号が入力されると共に、ＡＮＤゲート１３ａが無効となる。すなわち、ＡＮＤゲート１３ａの他方の入力端子のレベルに関わらず、出力端子の信号（ＲＥＳＥＴ）は常に“Ｌ”となる。また、ＡＮＤゲート１３ｂの一方の入力端子にも“Ｌ”信号が入力されるが、信号が反転して入力されるため、ＡＮＤゲート１３ｂは有効となる。すなわち、ＡＮＤゲート１３ｂの他方の入力端子のレベルに応じて、出力端子の信号（ＳＢＯＮ）が決定される。
【００３４】
したがって、スイッチ１１ａを操作していない場合、スイッチ回路１１から“Ｈ”の出力信号ＳＷが出力されると共に、ＡＮＤゲート１３ｂの他方の入力端子には、“Ｈ”信号が入力されるが、信号が反転して入力されるため、出力端子の信号（ＳＢＯＮ）は、“Ｌ”となる。また、スイッチ１１ａを操作した場合、スイッチ回路１１から“Ｌ”の出力信号ＳＷが出力されると共に、ＡＮＤゲート１３ｂの他方の入力端子には、“Ｌ”信号が入力されるが、信号が反転して入力されるため、出力端子の信号（ＳＢＯＮ）は、“Ｈ”となる。
【００３５】
これに対して、電源Ｖｃｃが投入されている場合（Ｖｃｃ＝５Ｖ）、ＡＮＤゲート１３ａの一方の入力端子には、“Ｈ”信号が入力されると共に、ＡＮＤゲート１３ａが有効となる。すなわち、ＡＮＤゲート１３ａの他方の入力端子のレベルに応じて、出力端子の信号（ＲＥＳＥＴ）が決定される。また、ＡＮＤゲート１３ｂの一方の入力端子にも“Ｈ”信号が入力されるが、信号が反転して入力されるため、ＡＮＤゲート１３ｂは無効となる。すなわち、ＡＮＤゲート１３ｂの他方の入力端子のレベルに関わらず、出力端子の信号（ＳＢＯＮ）は常に“Ｌ”となる。
【００３６】
したがって、スイッチ１１ａを操作していない場合、スイッチ回路１１から“Ｈ”の出力信号ＳＷが出力されると共に、ＡＮＤゲート１３ａの他方の入力端子には、“Ｈ”信号が入力されるが、信号が反転して入力されるため、出力端子の信号（ＲＥＳＥＴ）は、“Ｌ”となる。また、スイッチ１１ａを操作した場合、スイッチ回路１１から“Ｌ”の出力信号ＳＷが出力されると共に、ＡＮＤゲート１３ａの他方の入力端子には、“Ｌ”信号が入力されるが、信号が反転して入力されるため、出力端子の信号（ＲＥＳＥＴ）は、“Ｈ”となる。
【００３７】
リセット回路１４は、例えば、プログラムの暴走などによりパネルコンピュータ１のＣＰＵが動作できない状態になった場合、例えば、ＲＯＭやＲＡＭの動作不良でプログラムが一時的に動作できない状態になった場合などの動作異常が発生した際に、動作を正常に戻すためにパネルコンピュータ１をリセットする制御を行う回路である。リセット回路１４は、スイッチ制御回路１３におけるＡＮＤゲート１３ａからのリセット信号ＲＥＳＥＴに基づき、システムリセット信号ＳＹＳＴＥＭ＿ＲＥＳＥＴを出力する。また、リセット回路１４は、レジューム制御に関する処理を実行したり、チャタリングを除去する制御に関する処理を実行したりする。
【００３８】
ワンショット回路１５は、スイッチ制御回路１３におけるＡＮＤゲート１３ｂからの電源駆動信号としての出力信号ＳＢＯＮに基づき、電源回路１２に必要な幅のワンショットパルスである出力信号ＰＳＯＮを電源回路１２に出力する。
【００３９】
ここで、上記のように構成される制御回路１０の動作について図３のタイミングチャートを参照して説明する。
【００４０】
まず、パネルコンピュータ１の電源Ｖｃｃが投入されていない場合、電源Ｖｃｃは０Ｖ（“Ｌ”レベル）である。したがって、ＡＮＤゲート１３ａの一方の入力端子に“Ｌ”信号が入力され、ＡＮＤゲート１３ａが無効となる。すなわち、ＡＮＤゲート１３ａの他方の入力端子のレベルに関わらず、ＡＮＤゲート１３ａのリセット信号ＲＥＳＥＴは“Ｌ”となる。また、ＡＮＤゲート１３ｂの一方の入力端子にも“Ｌ”信号が入力されるが、信号が反転して入力されるため、ＡＮＤゲート１３ｂは有効となる。すなわち、ＡＮＤゲート１３ｂの他方の入力端子のレベルに応じて、出力信号ＳＢＯＮが決定される。
【００４１】
ここで、スイッチ１１ａを操作していない場合、スイッチ１１ａの一方の端子と他方の端子とが接続されていないため、スイッチ回路１１から“Ｈ”の出力信号ＳＷがスイッチ制御回路１３に入力される。つまり、ＡＮＤゲート１３ｂの他方の入力端子に“Ｈ”信号が入力されるが、信号が反転して入力されるため、ＡＮＤゲート１３ｂの出力信号ＳＢＯＮは“Ｌ”となる。出力信号ＳＢＯＮが“Ｌ”であるので、ワンショット回路１５からの出力信号ＰＳＯＮも“Ｌ”となる。なお、５Ｖスタンバイ電源Ｖｓｂは、パネルコンピュータ１に常時５Ｖを供給するためのスタンバイ電源であるので、常時“Ｈ”を維持する。
【００４２】
この状態でスイッチ１１ａを操作すると、スイッチ１１ａの一方の端子と他方の端子とが接続されるため、スイッチ回路１１から“Ｌ”の出力信号ＳＷがスイッチ制御回路１３に入力される。つまり、ＡＮＤゲート１３ａ、１３ｂの他方の入力端子にそれぞれ“Ｌ”信号が入力される。しかし、ＡＮＤゲート１３ａは無効であるので、リセット信号ＲＥＳＥＴは“Ｌ”を維持する。また、ＡＮＤゲート１３ｂは、信号が反転して入力されるため、ＡＮＤゲート１３ｂの出力信号ＳＢＯＮは“Ｈ”に変化する。出力信号ＳＢＯＮが“Ｈ”に変化するので、ワンショット回路１５からの出力信号ＰＳＯＮは、出力信号ＳＢＯＮをワンショットパルスに変形すると共に“Ｈ”に変化する。
【００４３】
電源回路１２は、出力信号ＰＳＯＮの変化に基づいて、電源Ｖｃｃを駆動する。したがって、電源Ｖｃｃは５Ｖ（Ｈレベル）に変化すると共に、パネルコンピュータ１に電源Ｖｃｃが投入される。
【００４４】
上記の動作でパネルコンピュータ１の電源Ｖｃｃが投入された場合、電源Ｖｃｃは５Ｖ（“Ｈ”レベル）を維持する。したがって、ＡＮＤゲート１３ａの一方の入力端子に“Ｈ”信号が入力され、ＡＮＤゲート１３ａは有効となる。また、ＡＮＤゲート１３ｂの一方の入力端子にも“Ｈ”信号が入力されるが、信号が反転して入力されるため、ＡＮＤゲート１３ｂが無効となる。すなわち、ＡＮＤゲート１３ｂの他方の入力端子のレベルに関わらず、ＡＮＤゲート１３ｂの出力信号ＳＢＯＮは“Ｌ”を維持する。出力信号ＳＢＯＮが“Ｌ”を維持しているので、ワンショット回路１５からの出力信号ＰＳＯＮも“Ｌ”を維持する。
【００４５】
ここで、スイッチ１１ａを操作していない場合、スイッチ１１ａの一方の端子と他方の端子とが接続されていないため、スイッチ回路１１から“Ｈ”の出力信号ＳＷがスイッチ制御回路１３に入力される。つまり、ＡＮＤゲート１３ａの他方の入力端子に“Ｈ”信号が入力されるが、信号が反転して入力されるため、ＡＮＤゲート１３ａのリセット信号ＲＥＳＥＴは“Ｌ”を維持する。
【００４６】
この状態でスイッチ１１ａを操作すると、スイッチ１１ａの一方の端子と他方の端子とが接続されるため、スイッチ回路１１から“Ｌ”の出力信号ＳＷがスイッチ制御回路１３に入力される。つまり、ＡＮＤゲート１３ａ、１３ｂの他方の入力端子にそれぞれ“Ｌ”信号が入力される。しかし、ＡＮＤゲート１３ｂは無効であるので、出力信号ＳＢＯＮは“Ｌ”を維持する。このため、出力信号ＰＳＯＮも“Ｌ”を維持する。また、ＡＮＤゲート１３ａは、信号が反転して入力されるため、ＡＮＤゲート１３ａのリセット信号ＲＥＳＥＴは“Ｈ”に変化する。リセット信号ＲＥＳＥＴが“Ｈ”に変化したので、リセット回路１４からシステムリセット信号ＳＹＳＴＥＭ＿ＲＥＳＥＴが出力される。
【００４７】
リセット回路１４からのシステムリセット信号ＳＹＳＴＥＭ＿ＲＥＳＥＴの出力により、パネルコンピュータ１のＣＰＵや例えば周辺回路などにシステムリセット信号ＳＹＳＴＥＭ＿ＲＥＳＥＴが入力され、パネルコンピュータ１をリセットする。
【００４８】
つまり、パネルコンピュータ１の電源Ｖｃｃが投入されていない場合、スイッチ１１ａを操作すると、従来における電源スイッチとしての役割を有する一方、パネルコンピュータ１の電源Ｖｃｃが投入されている場合、スイッチ１１ａを操作すると、従来におけるリセットスイッチとしての役割を有する。
【００４９】
ところで、パネルコンピュータ１の電源Ｖｃｃが投入されている場合、スイッチ１１ａはリセットスイッチとしての役割を有するので、パネルコンピュータ１の電源Ｖｃｃをハードウェア的に切断することができない。しかしながら、パネルコンピュータ１の例えばＯＳ（Ｏｐｅｒａｔｉｎｇ  Ｓｙｓｔｅｍ）をソフトウェア的に操作することにより、パネルコンピュータ１の電源Ｖｃｃを切断することができる。また、パネルコンピュータ１の電源Ｖｃｃが投入されている場合に、スイッチ１１ａを所定の時間だけ操作すると、電源回路１２に出力信号ＰＳＯＮを出力させることにより、電源Ｖｃｃをハードウェア的に切断するような回路を備えることもできる。
【００５０】
以上に述べたように、本実施の形態に係るパネルコンピュータ１は、従来における電源スイッチとリセットスイッチとを１つのスイッチ１１ａとして機能するように、スイッチ制御回路１３を備えている。それゆえ、パネルコンピュータ１の部品点数を増加させることがなく、コストの削減を図ることができる。したがって、制御システム全体のコストの削減を図ることができると共に、スイッチ１１ａの操作性が向上する。
【００５１】
また、スイッチ１１ａをパネルコンピュータ１のディスプレイパネル２の周辺部に備えている。それゆえ、スイッチ１１ａの操作が簡単であると共に、従来のように、電源スイッチを操作するために、例えば、制御盤に開閉扉を構成したり、配線処理などを施したりする必要がない。したがって、従来のように制御システムに不用な構成を追加する必要がなく、制御システム全体のコストを削減できると共に、スイッチ１１ａの操作性が向上する。
【００５２】
なお、本実施の形態では、スイッチ制御回路１３を２つのＡＮＤゲート１３ａ、１３ｂで構成した例を説明したが、これに限るものではない。すなわち、ＯＲゲート、ＮＡＮＤゲートなどその他のロジックで構成してもよい。要するに、スイッチ制御回路１３の動作を実現できる回路であれば、いかなる回路で構成してもよい。
【００５３】
また、本実施の形態では、スイッチ１１ａをプッシュスイッチにより構成される例を説明したが、これに限るものではない。例えば、レバースイッチ、トグルスイッチ、ロッカースイッチ、スライドスイッチ、キースイッチなど接続を切り替えることができるスイッチであれば、いかなるスイッチを用いてもよい。
【００５４】
さらに、本実施の形態では、電源ＶｃｃをＡＴＸ仕様の電源により構成される例を説明したが、これに限るものではない。例えば、産業機器用の電源、電力制御装置用電源など、その他の一般の電源を使用できることは勿論である。なお、ＡＴＸ仕様（ＡＴＸ  ｓｐｅｃｉｆｉｃａｔｉｏｎ）にすると、マザーボード上に拡張スロット、メモリスロット、ＣＰＵソケット、電源ユニットなどの位置を規定しているので、パネルコンピュータ１の設計が容易となる。
【００５５】
すなわち、上記実施例の説明は、本発明を説明するためのものであって、特許請求の範囲に記載の発明を限定し、あるいは、減縮するように解すべきではない。また、本発明の各構成は上記実施例に限らず、特許請求の範囲に記載の権利範囲内で種々の変形が可能であることは勿論である。
【００５６】
【発明の効果】
以上のように、請求項１の発明に係るタッチスクリーン付きコンピュータは、タッチスクリーンと、該タッチスクリーン外に設けられたスイッチとを備えたタッチスクリーン付きコンピュータにおいて、上記スイッチは、単一のスイッチであり、上記スイッチを操作すると、上記コンピュータの電源を動作させる電源制御部と、電源が動作した後に上記スイッチを操作すると、上記コンピュータのリセットを動作させるリセット制御部とを備えた構成である。
【００５７】
これにより、従来における電源スイッチとリセットスイッチとを１つのスイッチとして機能するように、電源制御部とリセット制御部とを備えている。それゆえ、コンピュータの部品点数を増加させることがなく、コストの削減を図ることができる。したがって、制御システム全体のコストの削減を図ることができると共に、スイッチの操作性が向上するという効果を奏する。
【００５８】
請求項２の発明に係るタッチスクリーン付きコンピュータは、各種の設備機器の管理や工作機械の操作盤などで好適に実施されるものであって、タッチスクリーンと、該タッチスクリーン外に設けられたスイッチと、電源を制御する電源回路と、リセットを制御するリセット回路とを備えたタッチスクリーン付きコンピュータにおいて、上記スイッチは、単一のスイッチであり、上記コンピュータの電源が駆動していない場合、上記スイッチを操作すると、上記電源回路に、上記コンピュータの電源を駆動させる電源駆動信号を出力する一方、上記コンピュータの電源が駆動している場合、上記スイッチを操作すると、上記リセット回路に、上記コンピュータをリセットさせるリセット信号を出力するスイッチ制御回路を備えた構成である。
【００５９】
これにより、従来における電源スイッチとリセットスイッチとを１つのスイッチとして機能するように、スイッチ制御回路を備えている。それゆえ、コンピュータの部品点数を増加させることがなく、コストの削減を図ることができる。したがって、制御システム全体のコストの削減を図ることができると共に、スイッチの操作性が向上するという効果を奏する。
【００６０】
請求項３の発明に係るタッチスクリーン付きコンピュータは、請求項１または２記載のタッチスクリーン付きコンピュータにおいて、上記スイッチは、タッチスクリーンの周辺部に備えた構成である。
【００６１】
これにより、スイッチをタッチスクリーンの周辺部に備えている。それゆえ、スイッチの操作が簡単であると共に、従来のように、電源スイッチを操作するために、例えば、制御盤に開閉扉を構成したり、配線処理などを施したりする必要がない。したがって、従来のように制御システムに不用な構成を追加する必要がなく、制御システム全体のコストの削減を図ることができると共に、スイッチの操作性が向上するという効果を奏する。
【図面の簡単な説明】
【図１】パネルコンピュータの全体像を示す斜視図である。
【図２】本発明の一実施形態を示すものであり、上記パネルコンピュータの制御回路の構成を示す論理回路図である。
【図３】上記実施の形態に係る上記パネルコンピュータの制御回路に用いられる各種制御信号を示すタイミングチャートである。
【符号の説明】
１  パネルコンピュータ（タッチスクリーン付きコンピュータ）
１１  スイッチ回路（電源制御部、リセット制御部）
１１ａ  スイッチ
１２  電源回路（電源制御部）
１３  スイッチ制御回路（電源制御部、リセット制御部）
１４  リセット回路（リセット制御部）
１５  ワンショット回路（電源制御部）
【図１】
2004295278.tif 000003
【図２】
2004295278.tif 000004
【図３】
2004295278.tif 000005